(57)【特許請求の範囲】
【請求項１】
刃を取付ける装着部を有する把持部と、
前記装着部に設けられて前記刃のエッジ部を囲繞する防護部と、
当該防護部に切り欠いて形成され、前記刃のエッジ部の一部を露出させる切り口部と、
当該切り口部に隣接して設けられ、ケーブル押え巻を切り口部に挿入したときに、心線部に当接させる心線押え部と、を有することを特徴とするケーブル押え巻切断工具。
【請求項２】
前記刃は円形状に形成して、前記装着部に着脱自在に取付けたことを特徴とする請求項１に記載のケーブル押え巻切断工具。
【請求項３】
前記防護部は、前記心線押え部及び前記切り口部を防護部の中心線に対称に少なくとも一対形成してなることを特徴とする請求項１または２に記載のケーブル押え巻切断工具。
【発明の詳細な説明】
【０００１】
【発明の属する技術分野】
本発明は、ケーブルの心線部を巻いているケーブル押え巻を切断してケーブルから除去するためのケーブル押え巻切断工具に関する。
【０００２】
【従来の技術】
一般的にケーブルは、光ファイバなどからなる心線部の外側を樹脂などの外皮で覆った形状をなしている。そして、心線部と外皮との間には、心線部の防水を行うため等の理由で、ビニールや紙などからなるケーブル押え巻を介在させている。このようなケーブル同士を接続したり、またケーブルを分岐させる場合には、ケーブルの外皮やケーブル押え巻の必要部分をケーブルから除去して心線部を露出させる必要がある。
【０００３】
ケーブルの心線部を露出させるためには、まず外皮を取り除き、そして外皮を取り除いて露出したケーブル押え巻を除去する必要がある。従来においては、外皮を取り除くに際して、ケーブル外皮剥ぎ取り器やケーブル外皮刃といった外皮を剥ぎ取る専用工具を用いて引き剥がしていた。そして、露出したケーブル押え巻を、ニッパやナイフといった一般的な切断工具を用いて切断して、ケーブルの心線部を露出させていた。
【０００４】
【発明が解決しようとする課題】
しかし、従来においては、以下のような問題があった。
ナイフやニッパなどの切断工具は刃が外側にむき出しになっている。このため、ケーブル押え巻を切断するときに、ケーブル押え巻に巻かれている心線部まで切断して、心線部に損傷を与えたり、作業者にけがをさせるおそれがあるという問題があった。また、ケーブル押え巻は特殊な加工紙などであるため、一般の切断工具では切断しにくいという問題があった。
【０００５】
本発明の目的は、従来技術の問題を解決して、ケーブル心線部に損傷を与えることなくケーブル押え巻を切断して、ケーブル押え巻を心線部から容易に取り除くことができるケーブル押え巻切断工具を提供することにある。
【０００６】
【課題を解決するための手段】
上記目的を達成するために、本発明におけるケーブル押え巻切断工具においては、刃を取付ける装着部を有する把持部と、前記装着部に設けられて前記刃のエッジ部を囲繞する防護部と、当該防護部に切り欠いて形成され、前記刃のエッジ部の一部を露出させる切り口部と、当該切り口部に隣接して設けられ、ケーブル押え巻を切り口部に挿入したときに、心線部に当接させる心線押え部と、を有する構成とした。
【０００７】
また、前記刃は円形状に形成して、前記装着部に着脱自在に取付けた構成とすることができる。
【０００８】
また、前記防護部は、前記心線押え部及び前記切り口部を防護部の中心線に対称に少なくとも一対形成してなる構成とすることができる。
【０００９】
【作用】
上記構成においては、ケーブル押え巻の必要部分の除去を以下のように行う。ケーブル押え巻切断作業時には、ケーブルの外皮を専用工具などにて必要部分剥ぎ取り、この剥ぎ取られた部分にケーブル押え巻を露出させる。この露出したケーブル押え巻の縁部に防護部の切り口部先端を挿入する。ケーブル押え巻の切り口部先端を挿入した部分は切り口部により持ち上げられる。そして、ケーブル押え巻内の心線部表面に心線押え部を当接させて、心線押え部を心線部表面に沿って移動させる。これにより、切り口部に挿入されたケーブル押え巻が切り口部内に露出している刃のエッジ部に案内されて、当該刃のエッジ部により切断される。このとき、心線押え部を心線部に当接させているため心線部の心線を巻き込んで切断したり圧迫するおそれがない。心線押え部が心線部表面に沿うようにケーブル押え巻切断工具を移動させることで、切り口部内にケーブル押え巻を連続的に挿入案内して切断作業を行わせることができる。このようにしたため、ケーブル心線部に損傷を与えることなくケーブル押え巻を切断して、ケーブル押え巻を心線部から容易に取り除くことができる。また、刃のエッジ部が外部にむき出しになっていないため、作業上の安全性を確保することもできる。なお、ケーブル押え巻の切断の仕方は、ケーブルの種類やケーブル押え巻の巻き方、材質などに応じて適した方向に切断していけばよい。
【００１０】
また、刃を円形状に形成して、前記装着部に着脱自在に取付けた場合には、刃を装着部からはずした後、刃を一定角度回転させて装着部に再び取付けることで、切り口部から露出する刃のエッジ部の部分を容易に変えることができる。これにより、切り口内に露出した刃のエッジ部の部分が長期の使用等で切断機能を喪失した場合でも、劣化していないエッジ部の部分が露出するように装着部に取付けることができる。このため、ケーブル押え巻切断工具が露出したエッジ部の劣化により切断機能を失っても、容易に切断機能を回復することができる。このように刃のエッジ部を全周に亘り使用することができるため、コスト的にも無駄がなく長期の使用が可能である。
【００１１】
また、前記防護部は、前記心線押え部及び前記切り口部とを防護部の中心線に対称に少なくとも一対形成してなる場合には、作業者が右利きの場合でもまた左利きの場合でもともに利き手側で切断作業を行うことができる。このため、作業者に違和感を与えることなく切断作業を行わせることができる。
【００１２】
【発明の実施の形態】
本実施形態におけるケーブル押え巻切断工具について図面を用いて詳細に説明する。図１は本実施形態におけるケーブル押え巻切断工具２０の正面図である。図２は図１のＡＡ’方向から見たケーブル押え巻切断工具２０の断面図である。図３は図１のＢＢ’方向から見たケーブル押え巻切断工具２０の側面図である。
【００１３】
ケーブル押え巻切断工具２０は円形刃２２を有している。前記円形刃２２の中心部は把持部３８の支軸３４に固定するため開口されている。そして、円形刃２２の外周部は断面鋭角形状のエッジ部２７となっており、このエッジ部２７にてケーブル押え巻３（図４、図５参照）を切断するのである。
【００１４】
円形刃２２は、装着部２３に取付けられている。装着部２３は円盤形状をなしており、装着部２３の表面側は断面凹部形状の防護部２４となっている。防護部２４の断面凹部内に円形刃２２が同軸上に嵌め込まれている。そして、円形刃２２のエッジ部２７は防護部２４の内側周縁部２９に覆われるように囲繞されている。これにより円形刃２２のエッジ部２７が外部にむき出しとならないようにしている。このため、むき出しのエッジ部２７が作業者を傷つけるというおそれがなく、作業時の安全性を確保することができる。
【００１５】
防護部２４は図３に示したように防護部２４を切り欠いて形成した切り口部２８（２８ａ、２８ｂ）を有している。これにより、前記円形刃２２のエッジ部２７の一部は、切り口部２８内に露出される。また、防護部２４は、それぞれの切り口部２８ａ、２８ｂに隣接する心線押え部２６ａ、２６ｂを有している。心線押え部２６（２６ａ、２６ｂ）は、ケーブル押え巻３を切り口部２８に挿入したときに心線部２の表面に当接させるためのものである。心線部２は、周面に複数のスロット溝を有するスロットロッドと、当該スロット溝内に配置した光ファイバなどの心線とで形成されている。従ってケーブル押え巻切断工具２０に心線押え部２６を設けたことにより、ケーブル押え巻３を切断する際に、心線部２の心線の巻き込みを防止することができる。
【００１６】
また、図３に示したように心線押え部２６と切り口部２８との間の防護部２４にはくさび状の爪部３０ａ、３０ｂが形成される。この爪部３０ａ、３０ｂは、円形刃２２のエッジ部２７に案内するガイドの役割を果たすものである。すなわち、爪部３０の先端よりケーブル押え巻３の縁部に挿入して、ケーブル押え巻３をエッジ部２７に案内するのである。
【００１７】
本実施形態における心線押え部２６ａ及び切り口部２８ａと、心線押え部２６ｂ及び切り口部２８ｂとは図３に示したように防護部２４の中心線に対称に形成してある。このため、作業者が右利きであってもまた左利きであっても利き手で作業をすることができる。よって作業者に違和感を与えることなく作業を行わせることができる。
【００１８】
装着部２３は、前記円形刃２２と同様に中心部を開口されている。円形刃２２を取付けた装着部２３は、開口部に挿入される止めネジ３２により支軸３４の先端面側に連結される。なお、装着部２３は、図１、図２に示したように補強部２５を背面側に有しており、これにより支軸３４との連結部分の剛性が増し、たわみが防止されるのである。
【００１９】
前記把持部３８は、支軸３４基端側を同軸に拡径した形状としている。これにより、作業者がケーブル押え巻工具２０を把持し易くなり、ケーブル押え巻３の切断作業を行い易くすることができる。なお、把持部３８は外周をラバーなどで覆って形成してもよい。
【００２０】
このように形成したケーブル押え巻切断工具２０の作用は以下のようになる。図４及び図５はケーブル押え巻３をケーブル押え巻切断工具２０にて切断する作業工程を示す説明図である。ケーブル押え巻３の切断作業時には、ケーブル１の外皮４は専用工具などにて必要部分剥ぎ取られており、外皮４が剥ぎ取られた部分にケーブル押え巻３が露出している。この露出したケーブル押え巻３の縁部に、図４、図５に示したように切り口部２８ａの先端、すなわち爪部３０ａの先端が挿入される。爪部３０ａの先端を挿入した部分のケーブル押え巻３は爪部３０ａに沿って持ち上がる。このとき、ケーブル押え巻３内の心線部２表面に防護部２４の心線押え部２６ａを当接させて、心線部２の心線の巻き込みを防止している。そして、心線押え部２６ａが心線部２表面に沿うようにケーブル押え巻切断工具２０を移動させる。これにより、切り口部２８ａに挿入されたケーブル押え巻３が切り口部２８ａ内に露出している円形刃２２のエッジ部２７に案内されて、当該エッジ部２７により切断される。このため、ケーブル押え巻３を連続的に切り口部２８ａ内に挿入案内して切断作業を行わせることができる。本実施形態においては、図４及び図５に示したように露出したケーブル押え巻３の根元側にケーブル押え巻切断工具２０を周回方向に移動させて切断する。これにより、ケーブル押え巻３をケーブル１から根元側より除去することができる。このように、ケーブル心線部２に損傷を与えることなくケーブル押え巻３を切断して、ケーブル押え巻３を心線部２から容易に取り除くことができる。
【００２１】
本実施形態においては、円形刃２２の中心部を前記装着部２３に止めネジ３２にて着脱自在に取付けている。すなわち、円形刃２２を防護部２４に嵌め込んだ装着部２３を、前記止めネジ３２にて支軸３４に着脱可能に取付けている。このため、止めネジ３２を緩めて円形刃２２を回転した後、再び止めネジ３２を締めることにより、円形刃２２の切り口部２８内に露出する部分を容易に変えることができる。従って、切り口部２８内に露出した円形刃２２の一部分が長期の使用などにより切断機能を喪失しても、円形刃２２の劣化していない部分を切り口部２８内に容易に露出させることができる。これにより、ケーブル押え巻切断工具２０の切断機能を再び回復することができる。このように円形刃２２のエッジ部２７を全周にわたり使用することができるため、コスト的にも無駄がなく長期の使用が可能である。
【００２２】
また、図６及び図７は、ケーブル押え巻切断工具２０の変形例を示す説明図である。ケーブル押え巻切断工具２０の防護部２４は、図６に示したように爪部３０の先端の外面側に傾斜面３１が形成してある。これにより、心線部２の心線の巻き込みをより確実に防止することができる。また、図７に示したように、防護部２４は、爪部３０に傾斜面３１を設けるとともに、爪部３０の先端に丸みをもたせた形状とすることができる。これにより、心線部２の心線の巻き込みをさらに一層確実に防止することができる。
【００２３】
なお、実施形態においては、ケーブル押え巻切断工具２０によりケーブル押え巻３を心線部円周方向に切断する場合について説明したが、ケーブル押え巻３の切断の仕方はケーブルの種類やケーブル押え巻の種類に応じて使い分ければよい。これを以下の実施例において説明する。
【００２４】
【実施例】
図８は実施例におけるケーブル押え巻の切断作業を示す説明図である。図８に示した実施例１と実施例２は引き通しケーブル（布設してあるケーブル）のケーブル押え巻３を切断する場合である。また、図８（ａ）に示したケーブル押え巻３ａはシート状材料を円周方向に巻いて形成したものである。図８（ｂ）に示したケーブル押え巻３ｂはシート状材料を螺旋状に巻いたものである。以下、それぞれのケーブル押え巻３ａ、３ｂの切断作業について説明する。なお、実施例は一例に過ぎず、切断の仕方は実施例に限定されない。ケーブル押え巻切断工具２０は、ケーブル押え巻の材料や巻き方、ケーブルの種類等も実施例に限定されず、例えば糸状のケーブル押え巻やビニルのケーブル押え巻にも適用することができる。また、ケーブルの端部側を切断する場合にも適用することができる。
【００２５】
《実施例１》
実施例１は、円周方向に巻かれているケーブル押え巻３ａを除去する場合である。この場合には、図８（ａ）に示したように、ケーブル押え巻３ａを巻き端５２の中央部において矢印５４のように円周方向に切断して切れ目を入れる。そして、切断した巻き端５２の切れ目からケーブル押え巻３ａを剥がしていき、ケーブル押え巻３ａの両側を切断線５０のように切断することで心線部２を露出させることができる。
【００２６】
《実施例２》
実施例２は螺旋状に巻いたケーブル押え巻３ｂを除去する場合である。この場合には、図８（ｂ）の切断線５６に示したように、ケーブル押え巻３ｂの中央部において軸方向に切断する。そして、切断したケーブル押え巻３ｂを矢印５７のように剥がしていき、ケーブル押え巻３ｂの両側を切断線５８のように切断することで、心線部２を露出させることができる。
【００２７】
なお、上記実施例１、実施例２においてケーブル押え巻３に一たん切れ目を入れた後に、切れ目の周辺のケーブル押え巻３を手でつまんで保持することにより、ケーブル押え巻３の切断作業を容易に行うことができる。
【００２８】
【発明の効果】
以上説明したように、本発明においては、刃を取付ける装着部を有する把持部と、前記装着部に設けられて前記刃のエッジ部を囲繞する防護部と、当該防護部に切り欠いて形成され、前記刃のエッジ部の一部を露出させる切り口部と、当該切り口部に隣接して設けられ、ケーブル押え巻を切り口部に挿入したときに、心線部に当接させる心線押え部と、を有するため、ケーブル心線部に損傷を与えることなくケーブル押え巻を切断して、ケーブル押え巻を心線部から容易に取り除くことができる。
【図面の簡単な説明】
【図１】実施形態におけるケーブル押え巻切断工具の正面図である。
【図２】実施形態におけるケーブル押え巻切断工具の要部断面図である。
【図３】実施形態におけるケーブル押え巻切断工具の一側面図である。
【図４】実施形態におけるケーブル押え巻切断工具によるケーブル押え巻の除去工程を示す説明図である。
【図５】実施形態におけるケーブル押え巻切断工具によるケーブル押え巻の除去工程を示す説明図である。
【図６】ケーブル押え巻切断工具の変形例を示す説明図である。
【図７】ケーブル押え巻切断工具の変形例を示す説明図である。
【図８】実施例におけるケーブル押え巻の切断作業を示す説明図である。
【符号の説明】
１………ケーブル、２………心線部、３………ケーブル押え巻、４………外皮、
２０………ケーブル押え巻切断工具、２２………円形刃、２３………装着部、
２４………防護部、２５………補強部、２６………心線押え部、
２８………切り口部、２９………内側周縁部、３０………爪部、
３１………傾斜面、３２………止めネジ、３４………支軸、
３８………把持部、５０………切断線、５２………巻き端、
５４………矢印、５６………切断線、５７………矢印、５８………切断線。
【図１】
0003562636.tif 000002
【図２】
0003562636.tif 000003
【図３】
0003562636.tif 000004
【図４】
0003562636.tif 000005
【図５】
0003562636.tif 000006
【図６】
0003562636.tif 000007
【図７】
0003562636.tif 000008
【図８】
0003562636.tif 000009